(57)【要約】【課題】  通常設置している旗、看板は静止した状態では通行人の目に付きにくい。しかしこれらを動かすロボット装置は複雑または高価で、一度作ってしまうと表示内容が決まっており使用目的が限られる。また外路では、表示装置が長時間もしくは常設であるため、風雨にさらされる悪条件のため精密機械を設置する事は難しい。【解決手段】  円筒状または多面状筒体の外周面を、色彩文字および色彩図形を有した表示部として、前記筒体を回転させる駆動部を備える表示装置。モーターに取り付けられた入力ギアからの回転力が連結ギアに伝動し、アイドラーを介して駆動ギアが回転する。よって同心上の駆動ローラーと接した筒体を回転させ、筒体外周面である表示部を動かす。加えて筒体表示部は回転駆動装置上に設置し、固定しないので、取り替えも容易で使用目的を広げる。【選択図】図１
2005189637.tif 000002
【特許請求の範囲】
【請求項１】
円筒状または多面状筒体の外周面を表示部として、前記筒体を回転させる駆動部を備える表示装置。
【請求項２】
モーターに取り付けた入力ギアによって連結ギアに伝動し、連動するアイドラーを介した駆動軸の同心上駆動ローラーが回転する事で、接した筒体を回転させる表示装置。
【請求項３】
請求項２上に円筒状または多面状筒体の表示部を設置する事と、表示部を固定せず容易に取り替えられる表示装置。
【請求項４】
駆動ローラーの配置によって、駆動方法を四輪、三輪、二輪と変更できる機構。
【発明の詳細な説明】
【技術分野】
【０００１】
本発明は円筒状もしくは多面状の筒体をローラーで回転させる表示装置に関する発明である。
【背景技術】
【０００２】
主に看板を動かそうとする装置はどうしても大掛かりになる。その他交通整理用を目的として、スイングアームにライトを取り付け、モーターで駆動させるロボットが使用されている。また看板に棒状ライトを取り付けてライトを動かすもの（特許文献１参照）もあるが、表示内容そのものが動くわけではない。また、筒体を回転する表示装置としては回転する円筒形に文字・図を配置し、内臓の光源で半透明の固定外筒に映写する客引き走馬灯（特許文献２参照）や、筒体の外周面表示部を回転させる回転看板（特許文献３参照）などがあるが、いずれも表示部を固定したものである。
【特許文献１】特開２００２−２８５５１８
【特許文献２】実開平４−１１６３０２
【特許文献３】実開平６−１３０７４
【発明の開示】
【発明が解決しようとする課題】
【０００３】
通常設置している旗、看板は静止した状態では通行人の目に付きにくい。しかし従来の技術ではこれらを動かすロボット装置は複雑または高価で、一度作ってしまうと表示内容が固定され使用目的が限られる。また看板や旗は一般的で、生活に於いて見慣れているので、動きをもたせても印象に欠けるという問題点があった。
【０００４】
工事現場などの作業現場や交通路では、表示装置が長期に及ぶ設置もしくは常設であるため、複雑なロボット装置はメンテナンス等が十分に行えない場合がある。また外路に設置する場合、風雨にさらされる悪条件のため精密機械を設置する事は難しい。
【０００５】
本発明は、円筒状または多面状筒体の外周面を表示部とし、筒体を回転させることで表示部に動きを持たせて、通行人に強烈な印象を与える表示部と、表示部を回転させる駆動部を備えた装置で、従来のように表示部を固定せず、使用目的を限定しないためのものである。
【課題を解決するための手段】
【０００６】
円筒状または多面状筒体の外周面を、色彩文字および色彩図形を有した表示部として、前記筒体を回転させる駆動部を備える表示装置。
【０００７】
モーターに取り付けられた入力ギアからの回転力が連結ギアに伝動し、連動するアイドラーを介して駆動ギアが回転する。よって駆動軸同心上の駆動ローラーが回転するため、接した円筒状または多面状筒体を回転させ、筒体外周面である表示部を動かす。また入力ギアによって回転する連結ギアは、軸としてフレームを貫通する連結軸を有しており、回転力を従動側連結ギアに伝える事が出来るので、駆動側と従動側の駆動ローラーは等しく回転する。
【０００８】
筒体表示部はドラム缶などの汎用性の高いものを使用する。また筒体は回転駆動装置上に設置し、固定しないので、取り替えも容易で使用目的を広げる。
【０００９】
モーターの動力を伝える連結軸と、連結ギアからアイドラーを介して回転する駆動ローラーの配置によって、駆動方法を四輪、三輪、二輪と変更できる機構。
【００１０】
ローラー内に設けた滑り止め部分に、樹脂や皮などのやわらかい部材を用いて、４輪が回転中に起こす誤差を微調整し、回転を安定させる。
【００１１】
使用場所を限定させないため、フレーム下に取り付けたキャスターにより、目的の場所に本発明を移動させる事が出来る。
【発明の効果】
【００１２】
上述のように、看板および旗とは違う、円筒状または多面状筒体の外周面を表示部として、筒体を回転させて表示部を動かす事で、通行人や通行車輛に強烈な印象を与える事が出来る。
【００１３】
筒体表示部にドラム缶などの汎用性の高いものを使用し、表示部自体を安価に押さえ使用者の経済的負担を軽減する。また筒体表示部は回転駆動装置上に設置し、固定しないので、取り替えも容易で使用目的を広げる。
【００１４】
使用場所を限定させないため、フレーム下に取り付けたキャスターにより本発明を移動させて使用領域を広げる。また移動の際もフレームに取り付けるカバーによって、回転部に手を触れず、安全に目的の場所へ移動させる事が出来る。
【発明を実施するための最良の形態】
【００１５】
以下、本発明の形態を図１〜図７に基づいて説明する。
【００１６】
図において、７を動力とする６からの回転力が５ａに伝動し、連動する４を介して３ａが回転する。よって３の同心上２が回転するため、２に接した円筒状または多面状筒体である１を回転させる。また６によって回転する５ａは、８を貫通する５を軸にしており、回転力を駆動側５ａから従動側５ａに伝える事が出来るので、駆動側と従動側の２は等しく回転する。
【００１７】
図１は本発明を、手前側９を外した状態で本発明を正面から見たものである。５を軸として駆動部２、３、４、５ａ、６、７と従動部の２、３、４、５ａの配置、および１の設置状態および本発明全体の構図を示したものである。
【００１８】
図２は図１Ａ−Ａ断面図を示したものである。１を設置した状態の２との接面部と、回転による巻き込みを防止する９ａの配置を示したものである。
【００１９】
図３は本発明の駆動側の側面から手前９を外した状態で見たものである。６の回転を受けて５ａが回転し、４を介して３ａを回転させる。
【００２０】
図４は図３Ｂ−Ｂの断面図を示したものである。７の動力は７ａを伝って６を回転させ、連動した５ａと４を介した３ａが同じく回転する。よって３ａ軸である３の同心上にある２が回転し、並びに２上に設置される１を回転させる。また２に設けられた樹脂材である２ａが、２の回転によって生じる誤差を微調整する。
【００２１】
図５は本発明の、従動側の手前９を外した状態で見た側面図である。駆動側の回転力を伝える５を受けて５ａが回転し、４を介した３ａが回転する。
【００２２】
図６は、図５の３ａ、４、５ａの連結部を正面から詳細に示したものである。および回転による事故を防止する９ａと２の配置をも示している。
【００２３】
図７は５、４、３ａ、２の配置によって駆動方式を変更した場合を、平面から示した一覧である。ハッチングのある２が駆動ローラーを指し、ハッチングのない２は動力の入っていないローラーを指す。１１ａ、１１ｂ、１１ｃは二輪駆動方式であり、１２は三輪駆動方式、１３は四輪駆動方式の場合の、駆動部と５、２の配置を示している。
【図面の簡単な説明】
【００２４】
【図１】手前カバーを取り外した状態の全体正面図
【図２】ローラーと表示部接着部を示す図１Ａ−Ａ断面図
【図３】回転装置駆動部側面図
【図４】ギア連結部を示す図３Ｂ―Ｂ断面図
【図５】回転装置受動部側面図
【図６】従動側駆動部詳細
【図７】駆動ローラーの配置による駆動方式変更一覧
【符号の説明】
【００２５】
１  表示部
２  駆動ローラー
２ａ  滑り止め
３  駆動軸
３ａ  駆動ギア
４  アイドラー
５  連結軸
５ａ  連結ギア
６  入力ギア
７  モーター
７ａ  出力軸
８  フレーム
９  カバー
９ａ  巻き込み防止カバー
１０  キャスター
１１ａ  二輪駆動２ＷＤ−ＦＲ
１１ｂ  二輪駆動２ＷＤ−ＦＦ
１１ｃ  二輪駆動２ＷＤ−Ｆ×Ｒ
１２  三輪駆動３ＷＤ
１３  四輪駆動４ＷＤ
【図１】
2005189637.tif 000003
【図２】
2005189637.tif 000004
【図３】
2005189637.tif 000005
【図４】
2005189637.tif 000006
【図５】
2005189637.tif 000007
【図６】
2005189637.tif 000008
【図７】
2005189637.tif 000009